(57)【要約】【課題】  頻繁に行われる便座装置の取り外しや便座制御部の保守、点検の際に、誤って便器側カバーを取り外してしまったり、またいたずらで便器側カバーが便器側ケース本体から取り外されてしまうことを防止する。【解決手段】  便器２に便器洗浄手段１を設ける。便器２に便器洗浄手段１を制御する便器制御部７を内装したケース２１を設ける。ケース２１を、便器２に設けたケース本体２１ａと、ケース本体２１ａに内装した便器制御部７を覆うカバー２１ｂとで構成する。カバー２１ｂをケース本体２１ａに着脱自在に取り付ける。カバー２１ｂのケース本体２１ａに着脱自在に取り付けられる部分を着脱取り付け部とする。着脱取り付け部を便器２に着脱自在に取り付けた便座装置３によって覆い隠される位置に設ける。【選択図】        図１
2006177050.tif 000002
【特許請求の範囲】
【請求項１】
便器に、便器洗浄手段と、該便器洗浄手段を制御する便器制御部を内装したケースを設け、該ケースを、便器に設けたケース本体と、該ケース本体に内装した便器制御部を覆うカバーとで構成し、カバーをケース本体に着脱自在に取り付け、カバーのケース本体に着脱自在に取り付けられる部分を着脱取り付け部とし、該着脱取り付け部を便器に着脱自在に取り付けた便座装置によって覆い隠される位置に設けて成ることを特徴とする便器装置。
【請求項２】
上記ケース本体を便器に着脱自在に取り付け、ケース本体の便器に着脱自在に取り付けられる部分をケース本体着脱取り付け部とし、該ケース本体着脱取り付け部を便器に取り付けた便座装置によって覆い隠される位置に設けて成ることを特徴とする請求項１に記載の便器装置。
【請求項３】
上記便座装置に、着座・離座検出手段と、着座・離座検出手段で検出した着座・離座情報を無線信号で送信する送信手段とを設け、便器側に前記送信手段により送信された無線信号を受信する受信手段を設け、上記便器制御部を受信手段により受信した信号に基づいて便器洗浄手段を制御するものとしたことを特徴とする請求項１又は請求項２に記載の便器装置。
【請求項４】
上記便座装置に、着座・離座検出手段と、着座・離座検出手段で検出した着座・離座情報を送信する送信手段と、送信手段を内装した便座側ケースとを設け、便器側に前記送信手段により送信された信号を受信する受信手段を設け、上記便器制御部を受信手段により受信した信号に基づいて便器洗浄手段を制御するものとした便器装置であって、前記便座側ケースを、便器に着脱自在に取り付けた便座側ケース本体と、便座側ケース本体に内装した送信手段を覆う便座側カバーとで構成し、便座側カバーを便座側ケース本体に着脱自在に取り付け、便座側カバーの便座側ケース本体に着脱自在に取り付けられる部分を便座側カバー着脱取り付け部とし、該便座側カバー着脱取り付け部を上記便器制御部を内装するケースによって覆い隠される位置に設けたことを特徴とする請求項１又は請求項２に記載の便器装置。
【発明の詳細な説明】
【技術分野】
【０００１】
本発明は便座装置及び便器洗浄手段を備えた便器装置に関する。
【背景技術】
【０００２】
従来から便器に便座装置を設けた便器装置としては例えば特許文献１に示すものが知られている。この便器装置は、局部洗浄手段等の機能部を備えた便座装置と便器洗浄手段とが一つの装置ブロックとして便器に組み込んだものであるが、便器洗浄手段と便座装置とが一つの装置ブロックとして便器に組み込まれているため、便座装置のみを形状、色、機能等が異なる他の便座装置と交換することができず、多様な顧客のニーズに対応できないという問題がある。また便座装置は汚れやすいので取り外して掃除等する必要があるが、上記のような一体型のものは便座装置部分を取り外して簡単に掃除することができないという問題があり、更に便座装置は長期間の使用により損傷しやすいのだが、この場合でも便座装置のみを交換することができず、局部洗浄手段等の機能部と便器洗浄手段とが備わっている装置ブロック全体を交換する必要があり、交換に要するコストが高くなってしまうという問題がある。
【０００３】
そこで例えば便器洗浄手段を備えた便器２に便器洗浄手段の制御部を内装する便器側ケース２１を設け、図１１に示すように便器２とは別体の便座装置３を着脱自在に取り付け、便器洗浄手段を便器２から取り外すことなく便座装置３のみを便器２から取り外せるようにすることが考えられる。なお図１１の３５は便座装置３の制御部等を内装する便座側ケースである。
【０００４】
またこの場合、便器側ケース２１内を保守、点検できるようにするには、例えば便器側ケース２１を、便器２に設けた便器側ケース本体と、便器側ケース本体に内装した便器制御部を覆う便器側カバー２１ｂとで構成し、便器側カバー２１ｂの側面部や後面部をねじ具７０により便器側ケース本体に着脱自在に取り付け、ねじ具７０による固着を解除することで便器側カバー２１ｂを便器側ケース本体から取り外せるようにすることが考えられる。
【０００５】
しかしこのように便器側カバー２１ｂのケース本体にねじ具７０によって着脱自在に取り付けられる部分（側面部や後面部）を便座装置３によって覆い隠されない露出部分に設けた場合、便座装置３を便器２から取り外すことなく便器側カバー２１ｂを簡単に取り外すことができてしまい、掃除等の理由で頻繁に行われる便座装置３の取り外しや便座制御部の保守、点検の際に、誤って便器側カバー２１ｂを取り外してしまい作業に時間がかかったり、またいたずらで便器側カバー２１ｂが便器側ケース本体から取り外されてしまうという問題が生じる。
【特許文献１】特開平９−１９５３５６号公報
【発明の開示】
【発明が解決しようとする課題】
【０００６】
本発明は上記従来の問題点に鑑みて発明したものであって、頻繁に行われる便座装置の取り外しや便座制御部の保守、点検の際に、誤って便器側カバーを取り外してしまったり、またいたずらで便器側カバーが便器側ケース本体から取り外されてしまうことを防止できる便器装置を提供することを課題とするものである。
【課題を解決するための手段】
【０００７】
上記課題を解決するために本発明に係る便器装置は、便器２に、便器洗浄手段１と、該便器洗浄手段１を制御する便器制御部７を内装したケース２１を設け、該ケース２１を、便器２に設けたケース本体２１ａと、該ケース本体２１ａに内装した便器制御部７を覆うカバー２１ｂとで構成し、カバー２１ｂをケース本体２１ａに着脱自在に取り付け、カバー２１ｂのケース本体２１ａに着脱自在に取り付けられる部分を着脱取り付け部とし、該着脱取り付け部を便器２に着脱自在に取り付けた便座装置３によって覆い隠される位置に設けて成ることを特徴とする。このようにカバー２１ｂのケース本体２１ａに着脱自在に取り付けられる部分である着脱取り付け部を便器２に着脱自在に取り付けた便座装置３によって覆い隠されて外部に露出しない位置に設けることで、便座装置３を便器２から取り外さない限り、カバー２１ｂの着脱取り付け部をケース本体２１ａから取り外すことができなくなって、カバー２１ｂをケース本体２１ａから容易に取り外すことができないようになり、誤ってあるいはいたずらでカバー２１ｂがケース本体２１ａから取り外されることを防止できる。
【０００８】
また上記ケース本体２１ａを便器２に着脱自在に取り付け、ケース本体２１ａの便器２に着脱自在に取り付けられる部分をケース本体着脱取り付け部とし、該ケース本体着脱取り付け部を便器２に取り付けた便座装置３によって覆い隠される位置に設けることも好ましい。これにより便座装置３を便器２から取り外さない限り、ケース本体２１ａのケース本体着脱取り付け部を便器２から取り外すことができなくなって、ケース２１を便器２から容易に取り外すことができないようになり、誤ってあるいはいたずらでケース２１が便器２から取り外されることを防止できる。
【０００９】
また上記便座装置３に、着座・離座検出手段４と、着座・離座検出手段４で検出した着座・離座情報を無線信号で送信する送信手段５とを設け、便器２側に前記送信手段５により送信された無線信号を受信する受信手段６を設け、上記便器制御部７を受信手段６により受信した無線信号に基づいて便器洗浄手段１を制御するものとすることも好ましい。便座装置３の着座・離座検出手段４の検出結果に基づいて便器２側の便器洗浄手段１を制御することができる。また現場施工の際に便器洗浄手段１を備えた便器２側と、着座・離座検出手段４を備えた便座装置３側とを配線で接続する工事が必要でなく現場施工を簡略化できる。また便座装置３を掃除する際に便座装置３側と便器２側とを接続する配線がないので配線に邪魔されることなく掃除ができる。また便座装置３の保守、点検や掃除のために便座装置３を便器２から取り外した際に、便座装置３を移動したり、床等に置いたり、触ったりして着座・離座検出手段４により誤った着座・離座検出が行われて送信手段５から送信されたとしても、この際には送信手段５と受信手段６とが向かい合わないため受信手段６に受信されることがなく、よって便座装置３を取り外して掃除などをしている際に、誤った着座・離座検出結果に基づいて便器洗浄手段１により誤って便器２を洗浄をすることがない。さらには便座装置３を便器２から取り外さない限り、ケース２１を便器２から取り外すことができないようになっているため、誤ってあるいはいたずらで便器２からケース２１を取り外して受信手段６の位置が変更されて、送信手段５及び受信手段６の相対位置が変わることを防止でき、これにより受信手段６による送信手段５から送信された無線信号の受信精度が低下することを防止できる。
【００１０】
また上記便座装置３に、着座・離座検出手段４と、着座・離座検出手段４で検出した着座・離座情報を送信する送信手段５と、送信手段５を内装した便座側ケース３５とを設け、便器２側に前記送信手段５により送信された信号を受信する受信手段６を設け、上記便器制御部７を受信手段６により受信した信号に基づいて便器洗浄手段１を制御するものとした便器装置であって、前記便座側ケース３５を、便器２に着脱自在に取り付けた便座側ケース本体３５ａと、便座側ケース本体３５ａに内装した送信手段５を覆う便座側カバー３５ｂとで構成し、便座側カバー３５ｂを便座側ケース本体３５ａに着脱自在に取り付け、便座側カバー３５ｂの便座側ケース本体３５ａに着脱自在に取り付けられる部分を便座側カバー着脱取り付け部とし、該便座側カバー着脱取り付け部を上記便器制御部７を内装するケース２１によって覆い隠される位置に設けることも好ましい。上記構成により便座装置３の着座・離座検出手段４の検出結果に基づいて便器２側の便器洗浄手段１を制御することができる。また便座装置３を便器２から取り外さない限り、便座側カバー３５ｂの便座側カバー着脱取り付け部を便座側ケース本体３５ａから取り外すことができず、便座側カバー３５ｂを便座側ケース本体３５ａから取り外すことができないようになり、誤ってあるいはいたずらで便座側カバー３５ｂが便座側ケース本体３５ａから取り外されることを防止できる。
【発明の効果】
【００１１】
本発明では便座装置を便器から取り外さない限り、便器洗浄手段の制御部を内装したケース本体からカバーを取り外すことができないようになり、誤ってあるいはいたずらで便器洗浄手段の制御部を覆うカバーがケース本体から取り外されることを防止できる。
【発明を実施するための最良の形態】
【００１２】
以下、本発明を添付図面に示す実施形態に基いて説明する。
【００１３】
図２に示す本実施形態の便器２はボウル部１５を水で洗浄するための便器洗浄手段１を備えた水洗便器であって、便器２の後部の内部にターントラップブロック１６を設け、便器２の後部上面にターントラップブロック１６を配設した部分の上方に位置するように便器側ケース２１を設けている。また便器２には便器洗浄用管路１８を設けてあり、該便器洗浄用管路１８の一端が水道管のような水供給管２５に止水詮２０を介して接続してある。
【００１４】
ターントラップブロック１６のケース内には図３に示すような変形性を有する材料で形成した可動自在なターントラップ１７を設けてあり、ターントラップ１７の一端部をボウル部１５の出口２６に接続してある。ターントラップ１７はターントラップブロック１６のケース外面側に設けた駆動モータ１９によりターントラップ１７の他端が上を向く姿勢と下を向く姿勢との間で可動自在となっている。
【００１５】
図４に示すように便器側ケース２１内においては、便器洗浄用管路１８の途中に便器洗浄弁２２を設けると共に該便器洗浄弁２２及び上記駆動モータ１９を制御するための便器制御部７を設けてあり、本実施形態では前記便器洗浄弁２２とターントラップ１７を駆動する駆動モータ１９とで便器洗浄手段１を構成している。また便器側ケース２１内には赤外線信号のような無線信号を受信する受信手段６を設けてあり、更に図５に示すように上記受信手段６とは別の便器側リモコン信号受信部１１が設けてある。便器側リモコン信号受信部１１は便器側リモコン装置１０からの送信信号を受信するもので、便器制御部７は後述する受信手段６で受信した信号に基づいて行う便器２の洗浄の他に、便器側リモコン信号受信部１１にて受信した受信信号に基づいて便器洗浄手段１を制御して便器２の洗浄を行えるようになっている。
【００１６】
図２等に示すように便器側ケース２１は便器２の後部上面に着脱自在に取付けた下部の便器側ケース本体２１ａ（以下ケース本体２１ａという）と、ケース本体２１ａに着脱自在に取り付けた上部の便器側カバー２１ｂ（以下カバー２１ｂという）とで構成されている。上方に開口する箱状のケース本体２１ａには、前述の便器洗浄弁２２、便器制御部７、受信手段６、便器側リモコン信号受信部１１を内装してあり、これらはケース本体２１ａに取り付けた下方に開口する箱状のカバー２１ｂによりに覆われている。
【００１７】
上記便器側ケース２１は前部の上部が前方に向けて突出した張り出し部３１となり、張り出し部３１の下方が凹段部３２となっている。図１に示すように張り出し部３１の前面部はカバー２１ｂの前壁部２３で構成され、凹段部３２の奥面部及び上底面部の夫々はケース本体２１ａの前壁部２４と該前壁部２４の上端から前方に突設した係止突部５２で構成されている。また便器側ケース２１の下部の前面部（つまり凹段部３２の奥面部）には前述の受信手段６と前後に対向する位置に受信側窓３０を設けている（図７等参照）。
【００１８】
ここで上記カバー２１ｂのケース本体２１ａに着脱自在に取り付けられる部分を便器側カバー着脱取り付け部と定義すると、本実施形態の便器側カバー着脱取り付け部は前述の係止突部５２が係止されるカバー２１ｂの前壁部２３の下端部の内面に形成した凹状の係止溝部５３からなる。つまりカバー２１ｂはケース本体２１ａの係止突部５２を係止溝部５３内に嵌め込んで係止することでケース本体２１ａに取り付け固定されるものである。また前記カバー２１ｂの係止溝部５３を形成した前壁部２３の下端からは下方に向けて指掛け部５４を一体に突設してあり、該指掛け部５４を前方に引くように操作してカバー２１ｂの前壁部２３を弾性変形させることで前記係止突部５２と係止溝部５３の係止を解除ができるようになっている。なお例えばカバー２１ｂの前壁部２３以外の露出する壁部である側壁部や後壁部に上記便器側カバー着脱取り付け部と同様の被係止部を設けると共に、ケース本体２１ａの前記カバー２１ｂの側壁部や後壁部に設けた被係止部に対応する部分に係止部を設け、該係止部を前記被係止部に係止する等して、カバー２１ｂの便器側カバー着脱取り付け部とは別の箇所を取り付け固定しても良い。但しこの場合は、カバー２１ｂの側壁部や後壁部に設けた被係止部とこの被係止部に対応する係止部との係止は、カバー２１ｂの便器側カバー着脱取り付け部をケース本体２１ａから取り外さない限り解除できないようになっているものとする。
【００１９】
またここでケース本体２１ａの便器２に着脱自在に取り付けられる部分をケース本体着脱取り付け部と定義すると、本実施形態のケース本体着脱取り付け部は取り付けねじ５０による固着によって便器２に取り付けられる部分であるケース本体２１ａの前壁部２４からなる。具体的に説明すると、ケース本体２１ａの下面部の前端部には差し込み孔５７を形成してあり、更にケース本体２１ａの前壁部２４には前後方向に貫孔５８を貫設している。そして便器２の上面に載設したＬ字状の固定金具５１の縦片部５１ｂをケース本体２１ａの差し込み孔５７からケース本体２１ａ内に挿入し、ケース本体２１ａの前壁部２４の貫孔５８に取付けねじ５０を前方から挿入し、該取り付けねじ５０の先端部をケース本体２１ａ内に挿入された縦片部５１ｂに形成したねじ孔５９に螺合することで、ケース本体２１ａが便器２に取り付け固定されている。ここでケース本体２１ａの前壁部２４を便器２に設けた固定金具５１から取り外す際に操作される部分である取り付けねじ５０の頭部はケース本体２１ａの前壁部２４の前面に露出してある。なお前記固定金具５１は縦片部５１ｂの下端から前方に突設した横片部５１ａをボルト５５及びナット５６により便器２の上壁部２ａに締結することで、便器２に固定されているものである。
【００２０】
図６、図７等に示すように便器２の後部上面の上記便器側ケース２１を設けた部分より前位置の中央部には便座固定金具３３を取り付けている。この便座固定金具３３には図８に示すように前方に開口する断面コ字状の前後方向に長いガイドレール３４ａを設けてあり、該ガイドレール３４ａの底面部上面の前後に離れた２箇所には下方に凹没する係合凹部３４ｂを設けている。また図６に示すように便座固定金具３３の左右両側部には上下方向に貫通して前後方向に長い長孔６０を形成している。
【００２１】
上記便座固定金具３３は上記便器側ケース２１を便器２の後部上面に取付けた後に便器２に取付けられるものであって、その取り付けにあたっては例えば図６に示すように上下に貫通する雌ねじ孔６１ａを備えた雌ねじ部材６１と、雌ねじ部材６１の雌ねじ孔６１ａに螺合する固定ねじ６２と、左右方向における中央部を下方に突曲した断面逆ハット状の押さえ板６３とを用いる。これらを用いて便座固定金具３３を便器２に固定するにあたっては、例えばまず便器２の上壁部２ａに左右に間隔を介して穿設した嵌め込み孔６４の夫々に雌ねじ部材６１を嵌め込み挿入する。次に便座固定金具３３の各長孔６０と各雌ねじ部材６１の雌ねじ孔６１ａの左右方向の位置を合わせつつ、便座固定金具３３を便器側ケース２１を基準にして前後方向の位置を調整し、この後、固定ねじ６２の先端部を押さえ板６３の中央突曲部６３ａの下面部に穿設した貫通孔６３ｂに通して各雌ねじ部材６１の雌ねじ孔６１ａに螺合し、押さえ板６３の両側の鍔部６３ｃと便器２の上壁部２ａとの間に便座固定金具３３を挟持固定する。なお本例では固定ねじ６２を便器２に設けた雌ねじ部材６１の雌ねじ孔６１ａに螺合することで便座固定金具３３を便器２に固定したが、例えば図８に示すように固定ねじ６２の先端を便器２の上壁部２ａに設けた孔６５に通して便器２の上壁部２ａの下面側に位置するナット６６に螺合し、該ナット６６と固定ねじ６２により便器２に便座固定金具３３を締結する等、便座固定金具３３の便器２への固定手段は上記に限定されるものではない。
【００２２】
上記便器２の上面に取り付けられる便座装置３は装置の主体を構成する便座側ケース３５に便座３６と便蓋３７とを回動自在に取付けて構成してある。
【００２３】
便座側ケース３５は後面が便器側ケース２１の前面に近接対向するように便器２の後部上面に設けてあり、該便座側ケース３５内には図９の制御ブロック図に示すように、人体の局部を洗浄するための局部洗浄手段８ａ及び人体の局部洗浄をした後に温風又は冷風により人体の局部を乾燥させるための乾燥手段８ｂ及び便器２内の脱臭を行うための脱臭手段８ｃとで構成される便座側機能部８と、前述の便器２側に設けた受信手段６に赤外線信号のような無線信号を送信する送信手段５と、便座制御部９とを設けている。なお便座側機能部８は上記局部洗浄手段８ａ及び乾燥手段８ｂ及び脱臭手段８ｃのうち少なくとも一つ以上の手段で構成されていれば良いものとする。また便座側ケース３５には操作部３８、前述の便器側リモコン装置１０とは別体の便座側リモコン装置１２からのリモコン信号を受信するための便座側リモコン信号受信部１３が設けてある。更に便座装置３には着座・離座検出手段４を設けてあり、この着座・離座検出手段４は例えば便座３６に設けてある。そして、操作部３８や便座側リモコン装置１２や着座・離座検出手段４からの信号が便座制御部９に入力されることで便座側機能部８を制御するようになっている。なお上記局部洗浄手段８ａの配管には図５に示すように水供給管から洗浄水を供給するためのフレキシブル管２９が接続してある。
【００２４】
上記便座側ケース３５は、便器２の後部上面に着脱自在に取り付けられる下部の便座側ケース本体３５ａ（以下ケース本体３５ａという）と、ケース本体３５ａに着脱自在に取り付けた上部の便座側カバー３５ｂ（以下カバー３５ｂという）とで構成してある。上方に開口する箱状のケース本体３５ａには、前述の便座側機能部８、便座制御部９、送信手段５を取付けて内装してあり、これらはケース本体３５ａに取り付けた下方に開口する箱状のカバー３５ｂによりに覆われている。
【００２５】
図７及び図１０に示すように上記便座側ケース３５のカバー３５ｂの後端部の下部は後方に向けて突出する後方突出部４０となっており、この後方突出部４０の突出端面には前述の送信手段５と前後方向に対向する位置に送信側窓４１が設けてある。
【００２６】
ここで上記カバー３５ｂのケース本体３５ａに着脱自在に取り付けられる部分を便座側カバー着脱取り付け部と定義すると、本実施形態では便座側カバー着脱取り付け部を止めねじ４２による固着によってケース本体３５ａに取り付けられる部分であるカバー３５ｂの後方突出部４０の上面部からなる。具体的に説明すると、カバー３５ｂの後方突出部４０の上面部の左右両端にはねじ通し孔６７を穿設してあり、またケース本体３５ａの後端部の左右両端部には雌ねじ孔部６８を形成している。そして各ねじ通し孔６７に上方から止めねじ４２を通し、該止めねじ４２の先端部をケース本体３５ａに設けた雌ねじ孔部６８に螺合することで、カバー３５ｂの後方突出部４０の上面部がケース本体３５ａに取り付け固定される。ここでカバー３５ｂの後方突出部４０の上面部をケース本体３５ａから取り外す際に操作される部分である止めねじ４２の頭部は後方突出部４０の上面に露出してある。
【００２７】
また便座側ケース３５のケース本体３５ａの下面部には図８に示すように後端から便座固定金具３３の前後長さに対応する範囲にわたって凹部６９が形成され、該凹部６９の上底面には前述の便座固定金具３３に設けたガイドレール３４ａに前方より差し込まれる水平片部３９ａを有する係合部材３９を下方に向けて突設している。また係合部材３９の水平片部３９ａの前後両端部には係合突部３９ｂが設けてある。そして図８のように前記係合部材３９の水平片部３９ａを便座固定金具３３に設けたガイドレール３４ａに前方から後方に向けて差し込むと共に、各係合突部３９ｂを各係合凹部３４ｂに係合することで、ケース本体３５ａは前後左右上下の全ての方向に位置決めされた状態で便器２に取り付け固定され、これにより便座装置３は便器２に着脱自在に取り付け固定されている。なお便座装置３のケース本体３５ａの取外しに当たっては便座装置３を上方に持ち上げて係合突部３９ｂと係合凹部３４ｂとの係合を外した状態でガイドレール３４ａ内から水平片部３９ａを前方に引き抜くことで便座装置３を取り外すことができるようになっている。
【００２８】
上記のように便座装置３を便器２に取付けた状態では便座側ケース３５が便器側ケース２１の前方位置で隣接するように配され、便座装置３の便座側ケース３５の後方突出部４０が便器２の後部上面に取付けてある便器側ケース２１の前部の下部の凹段部３２に嵌まり込む。
【００２９】
この状態では前述の便器側ケース２１のケース本体２１ａの係止突部５２、カバー２１ｂの係止溝部５３、指掛け部５４が、便座側ケース３５のカバー３５ｂの上部の前面（後方突出部４０の上方に形成された段部の奥面）に近接対向する位置に配され、またケース本体２１ａの前壁部２４、取付けねじ５０の頭部は、便座側ケース３５のカバー３５ｂの下部の前面（後方突出部４０の突出端面）に近接対向する位置に配されている。つまり係止突部５２、係止溝部５３、指掛け部５４、ケース本体２１ａの前壁部２４、取付けねじ５０の頭部は、いずれもが便座側ケース３５のカバー３５ｂによって覆い隠される位置に配されている。
【００３０】
またこの便器側ケース２１及び便座側ケース３５を便器２に取り付けた状態にあっては、前述のカバー３５ｂの後方突出部４０の上面部及び止めねじ４２の頭部が、便器側ケース２１の凹段部３２の上底面に近接対向する位置に配されており、つまり後方突出部４０の上面部及び止めねじ４２の頭部はともに便器側ケース２１によって覆い隠される位置に配されている。
【００３１】
またこの場合、凹段部３２の奥面に設けた受信側窓３０と、後方突出部４０の突出端面に設けた送信側窓４１とが互いに近接対向し、送信側窓４１、受信側窓３０を介して便座側ケース３５内に設けた送信手段５と便器側ケース２１内に設けた受信手段６とが一直線状に対向し、送信手段５から送信された赤外線信号のような無線信号を受信手段６にて受信できるようになっている。ここで凹段部３２の奥面に設けた受信側窓３０と、後方突出部４０の突出端面に設けた送信側窓４１とが互いに近接対向するので、外光などの外乱が受信側窓３０から受信手段６に入るのを防止でき、受信手段６や送信手段５側に埃等が浸入し難く、送信手段５から送信された赤外線信号を受信手段６で確実に受信できるようになっている。
【００３２】
以下、図９に示す便器装置の制御ブロック図に基づいて便器装置の制御動作につき説明する。
【００３３】
使用者が便座装置３の便座３６に着座すると、着座・離座検出手段４により着座が検出され、着座後離座すると離座が検出される。着座・離座検出手段４により着座、離座が検出されると、便座制御部９に着座信号や離座信号が入力され、この着座信号や離座信号により便座制御部９により便座側機能部８の１以上の手段が制御される。一例を挙げると、着座信号が入力されると便座側機能部８の一つである脱臭手段８ｃがオンとなって脱臭を開始し、その後、離座信号が入力されると、離座信号の入力後一定時間経過後に脱臭手段８ｃがオフとなるように制御される。また、着座信号が入力されると局部洗浄手段８ａの動作受け付け可能モードとなり、その後、離座信号が入力されると局部洗浄手段８ａの動作受け付け可能モードが終了するように制御されるものであり、便座側ケース３５に設けた操作部３８や便座側リモコン装置１２を操作して局部洗浄手段８ａをオンさせる信号が便座制御部９に入力した場合、便座制御部９により上記動作受け付け可能モードの間だけ（つまり着座している期間だけ）局部洗浄手段８ａを動作させるように制御し、上記動作受け付け可能モードでない時（つまり着座していない時）は局部洗浄手段８ａを動作させないようになっている。これにより着座していない時に誤って局部洗浄手段８ａが動作して温水のような洗浄水を誤噴出することがないようにしている。
【００３４】
更に、着座・離座検出手段４により着座、離座が検出されると送信手段５により赤外線信号のような信号が送信される。送信手段５から送信された着座信号や離座信号は便器側ケース２１内に設けた受信手段６で受信され、受信手段６で受信した信号は便器制御部７に入力され、この入力された信号に基づいて便器制御部７は便器洗浄手段１を制御してボウル部１５内に水を流して便器洗浄を行う。
【００３５】
便器制御部７は例えば離座を検出した後の一定時間以内（例えば１０秒）に着座信号を受信しない場合に便器洗浄手段１をオンとなるように制御して便器洗浄を行うものであって、この便器洗浄手段１による便器洗浄の動作は以下のように行われる。
【００３６】
図３（ｆ）は便器洗浄手段１がオフの状態、つまり溜め水復帰状態（待機状態）であり、この状態ではターントラップ１７の他端の開口部が上を向いてターントラップ１７及びボウル部１５内に水が溜まっている。この状態で便器洗浄手段１がオンとなって便器洗浄が開始されると、まず、便器洗浄弁２２が開となって図３（ａ）の矢印に示すように水がボウル部１５内に流れ出す、次に、図３（ｂ）、（ｃ）のように駆動モータ１９を正転させてターントラップ１７の他端の開口が下を向くようにターントラップ１７を回動してボウル部１５及びターントラップ１７内に溜まっている水をターントラップ１７の他端から排出することで水と共に汚物を排出する。次に、駆動モータ１９を逆転させて図３（ｄ）のようにターントラップ１７を回動させ、ターントラップ１７の他端の開口が上を向くようにする。この間、便器洗浄弁２２が開となっていて図３（ｅ）のようにターントラップ１７の他端の開口部が上を向いた状態でもボウル部１５内に水が供給され、図３（ｆ）のように他端の開口部が上を向いたターントラップ１７及びボウル部１５内に水が溜まると便器洗浄弁２２が閉となり、図３（ｆ）の溜め水復帰状態（待機状態）になる。
【００３７】
以上説明したように本発明の便器装置にあっては、便器洗浄手段１を設けた便器２とは別体の便座装置３を便器２に着脱自在に取り付けてあるので、便座装置３のみを便器２から取り外すことができ、これにより汚物が付着したり小便がかかる等の理由で汚れ易い便座装置３を簡単に取り外して掃除したり、便座装置３のみを交換したりできる。
【００３８】
さらにはカバー２１ｂの便器側カバー着脱取り付け部、指掛け部５４、ケース本体２１ａのケース本体着脱取り付け部、取り付けねじ５０の頭部のいずれもが後方突出部４０と凹段部３２との嵌め込み部分に位置して外部に露出しないため、便座装置３を便器２から取り外さない限り（つまり、便座装置３を便器２に対して前方に移動させ、係合部材３９をガイドレール３４ａに対して前方にスライドさせて外さない限り）、指掛け部５４に指を掛けて前方に引っ張ることで係止を解除してカバー２１ｂをケース本体２１ａから取り外したり、あるいは取付けねじ５０を操作してケース本体２１ａを便器２から取り外したりすることができず、従って誤ってあるいはいたずらで、カバー２１ｂを取り外して便器制御部７を露出させたり、ケース本体２１ａを便器２から取り外したりできないようになっている。
【００３９】
また本実施形態の便器装置は、着座・離座検出手段４と、着座・離座検出手段４で検出した着座・離座情報を送信する送信手段５と、送信手段５を内装した便座側ケース３５とを設け、便器２側に前記送信手段５により送信された信号を受信する受信手段６を設け、上記便器制御部７を受信手段６により受信した信号に基づいて便器洗浄手段１を制御するものとした便器装置であるので、便座装置３の着座・離座検出手段４の検出結果に基づいて便器２側の便器洗浄手段１を制御することができる。
【００４０】
また上記送信手段５及び受信手段６によって送受信される信号は赤外線信号のような無線信号であるので、現場施工の際に便器洗浄手段１を備えた便器２側と、着座・離座検出手段４を備えた便座装置３側とを配線で接続する工事が必要でなく現場施工を簡略化できる。また便座装置３を便器２から取り外し、便器２から離れた位置で便座装置３の保守、点検や掃除を行うことができるようになっている。さらには便座装置３を掃除する際に便座装置３側と便器２側とを接続する配線がないので配線に邪魔されることなく掃除ができる。また上記のように便座装置３を取り外して掃除等する際に便座装置３を移動したり、床等に置いたり、触ったりして着座・離座検出手段４により誤った着座・離座検出が行われて送信手段５から赤外線信号が送信されたとしても、送信手段５と受信手段６とが向かい合わないため受信手段６で赤外線信号が受信されることがない。このため、便座装置３を取り外して掃除などをしている際に、誤った着座・離座検出結果に基づいて便器洗浄手段１により誤って便器洗浄をすることがない。
【００４１】
また本実施形態では便座装置３を便器２から取り外した後、便器２から便器側ケース２１のケース本体２１ａを取り外すことで、便器２の後部の上壁部２ａに形成されたターントラップブロック１６及び駆動モータ１９の収納部に連通する点検用開口を外部に露出させることができ、これによりターントラップブロック１６の保守、点検を行えるようになっている。さらにはこの場合便座装置３を便器２から取り外さない限り、便器側ケース２１を便器２から取り外すことができないようになっているため、誤ってあるいはいたずらで便器２から便器側ケース２１を取り外して受信手段の位置が変更されることを防止でき、送信手段５から送信された赤外線信号を受信手段６で確実に受信できる。
【００４２】
さらにカバー３５ｂの後方突出部４０の上面部及び止めねじ４２の頭部がともに便器側ケース２１によって覆い隠されて外部に露出しないため、便座装置３を便器２から取り外さない限り、止めねじ４２を操作してカバー３５ｂをケース本体３５ａから取り外すことができず、従って誤ってあるいはいたずらでカバー３５ｂを取り外して便座制御部９を露出させたりすることがないようになっている。
【００４３】
なお本実施形態では便器２にターントラップ１７を設けて封水をし、ターントラップ１７を駆動することで排水するようにした便器装置の例を示したが、ターントラップ１７を設けることなく、サイホン式の便器でも設置可能で、ロータンクを設けてロータンク内の排水口を開閉する便器洗浄弁を開としてロータンク内の水をボウル部１５内に流して便器洗浄を行うもの、あるいは水道直結式で便器洗浄弁を開として水道水を直接ボウル部内に流して便器洗浄を行うものとしても良い。
【図面の簡単な説明】
【００４４】
【図１】本発明の実施の形態の一例を示し、図は便器側ケース本体を便器に取付けると共に便器側ケース本体に便器側カバーを係止により取付けている部分の断面図である。
【図２】同上の便器装置の断面図である。
【図３】（ａ）乃至（ｆ）は同上の洗浄手段による便器洗浄の動作順序を示す説明図である。
【図４】同上の便器側カバーを取り外した状態の平面図である。
【図５】同上の斜視図である。
【図６】同上の分解斜視図である。
【図７】同上の便器に便座装置を取付ける前の状態の斜視図である。
【図８】同上の便器に取付けた便座固定金具に便座装置を取付けている部分の断面図である。
【図９】本発明の便器装置の制御ブロック図である。
【図１０】同上の便座側ケース本体に便座側カバーを取付けている状態の分解斜視図である。
【図１１】従来の便器装置の全体斜視図である。
【符号の説明】
【００４５】
１  便器洗浄手段
２  便器
３  便座装置
４  着座・離座検出手段
５  送信手段
６  受信手段
７  便器制御部
８  便座側機能部
８ａ  局部洗浄手段
８ｂ  乾燥手段
８ｃ  脱臭手段
２１  便器側ケース
２１ａ  便座側ケース本体
２１ｂ  便座側カバー
３５  便座側ケース
３５ａ  便座側ケース本体
３５ｂ  便座側カバー
【図１】
2006177050.tif 000003
【図２】
2006177050.tif 000004
【図３】
2006177050.tif 000005
【図４】
2006177050.tif 000006
【図５】
2006177050.tif 000007
【図６】
2006177050.tif 000008
【図７】
2006177050.tif 000009
【図８】
2006177050.tif 000010
【図９】
2006177050.tif 000011
【図１０】
2006177050.tif 000012
【図１１】
2006177050.tif 000013